(57)【要約】【課題】部品のこぼれ落ちを有効に防ぐことができるキャリアテープ用カバーおよびその装着方法を提供すること。【解決手段】キャリアテープ用カバー１は、電子部品２０を収納するための複数の収納ポケット１１ａと、収納ポケット１１ａを覆うカバーテープ１２と、少なくとも一方の側縁に形成された送り穴１１ｂとを有するキャリアテープ１０用のカバーであって、所定の長さを有する平板状のカバー本体２と、該カバー本体２０の長手方向の一方の側を折り曲げてガイド溝４を形成する折り曲げ部３と、該カバー本体２の長手方向の他方の側を折り曲げて形成された爪部５とを有し、ガイド溝４と爪部５でキャリアテープ１０の両側縁にスライド可能に取り付けることにより、収納ポケット１１ａの少なくとも数個をカバーする。【選択図】      図１
2004323028.tif 000002
【特許請求の範囲】
【請求項１】
電子部品を収納するための複数の収納ポケットと、上記収納ポケットを覆うカバーテープと、少なくとも一方の側縁に形成された送り穴とを有するキャリアテープ用のカバーであって、
所定の長さを有する平板状のカバー本体と、該カバー本体の長手方向の一方の側を折り曲げてガイド溝を形成する折り曲げ部と、該カバー本体の長手方向の他方の側を折り曲げて形成された爪部とを有し、
上記ガイド溝と上記爪部で上記キャリアテープの両側縁にスライド可能に取り付けることにより、上記収納ポケットの少なくとも数個をカバーする
ことを特徴とするキャリアテープ用カバー。
【請求項２】
前記キャリアテープ用カバーは柔軟性の材料からなり、前記キャリアテープの先端部分への装着後、前記キャリアテープと共にリールに巻かれる
ことを特徴とする請求項１記載のキャリアテープ用カバー。
【請求項３】
電子部品を収納するための複数の収納ポケットと、上記収納ポケットを覆うカバーテープと、少なくとも一方の側縁に形成された送り穴とを有するキャリアテープに、請求項１記載のキャリアテープ用カバーを装着する装着方法であって、
上記キャリアテープの一方の側縁に前記キャリアテープ用カバーの前記ガイド溝を挿入し、
次いで、上記キャリアテープの他方の側縁に前記キャリアテープ用カバーの前記爪部を係合させることにより、上記キャリアテープに前記キャリアテープ用カバーを装着する
ことを特徴とするキャリアテープ用カバーの装着方法。
【請求項４】
電子部品を収納するための複数の収納ポケットと、上記収納ポケットを覆うカバーテープと、少なくとも一方の側縁に形成された送り穴とを有するキャリアテープに、請求項１記載のキャリアテープ用カバーを装着する装着方法であって、
前記キャリアテープはリールに巻かれ、該リールは自動部品供給手段のフィーダーに組み込まれており、前記キャリアテープの先端の前記送り穴は、上記自動部品供給手段のスプロケットに係合しており、
上記フィーダーにおいて露出している上記キャリアテープの一方の側縁に前記キャリアテープ用カバーの前記ガイド溝を挿入し、
次いで、上記キャリアテープの他方の側縁に前記キャリアテープ用カバーの前記爪部を係合させることにより、上記キャリアテープに前記キャリアテープ用カバーを装着する
ことを特徴とするキャリアテープ用カバーの装着方法。
【請求項５】
電子部品を収納するための複数の収納ポケットと、上記収納ポケットを覆うカバーテープと、少なくとも一方の側縁に形成された送り穴とを有するキャリアテープに、所定の長さを有する平板状のカバー本体と、該カバー本体の長手方向の両側を折り曲げて２つのガイド溝を形成する２つの折り曲げ部とを有するキャリアテープ用カバーを装着する装着方法であって、
上記カバーテープが剥離している上記キャリアテープの先端側から、上記剥離している上記カバーテープと上記キャリアテープの両側縁とを上記２つのガイド溝に挿入し、上記カバーテープが剥離しかつ上記電子部品が収納されている上記収納ポケット部分を上記カバーテープごと覆うように装着する
ことを特徴とするキャリアテープ用カバーの装着方法。
【発明の詳細な説明】
【０００１】
【発明の属する技術分野】
本発明は、キャリアテープ用カバーおよびその装着方法に関するものである。
【０００２】
【従来の技術】
電子部品を収納するための複数の収納ポケットを有するキャリアテープは、収納ポケット内の電子部品がこぼれ落ちないようにカバーテープを接着することにより、輸送等による外部から電子部品を保護する梱包材であると同時に自動実装機により電子部品を自動実装する場合の部品梱包手段でもある。
【０００３】
このような大量生産用部品供給のためのキャリアテープとして、電子部品メーカーが部品製造時に数千個の部品をテーピングしてリールに巻いたものを販売されているが、エンドユーザーは、このリールを自動実装機に組み込んで電子部品を自動実装して製品を生産する際、１リール分全ての電子部品を使い切って一括生産しない場合が多くなってきている。
【０００４】
自動実装する場合は、図７に示すように、収納ポケット１１ａに電子部品２０が収納されているキャリアテープ１０が巻かれたリール７０を自動実装機のフィーダー６０に取り付け、リール７０に巻かれているキャリアテープ１０をその送り穴に係合するスプロケット６３で間欠的に送り、キャリアテープ１０の収納ポケット１１ａ上に接着されているカバーテープ１２をテープ押さえ金具６６により剥離しながらカバーテープ引き出し口６７から引き出してカバーテープ用リール６５で巻き取ると共に、収納ポケット１１ａ内にある電子部品２０を部品取り出し口６８から取り出して、プリント基板等に実装している。
【０００５】
【発明が解決しようとする課題】
上述のようにキャリアテープを自動実装機で使用する際、１リール全てを一括で実装する場合は問題ないが、途中で生産を中止する場合は、キャリアテープ１０は、カバーテープ取り出し口６７と部品取り出し口６８の間で、電子部品の入った収納ポケット１１ａの１個〜数個がカバーテープ１２の剥離された状態となる。
【０００６】
このように、１リールの途中で生産が終了した場合、カバーテープ１２が剥離された状態のキャリアテープ１０をリール７０に手動で巻き戻し、巻き戻したリール７０を自動実装機のフィーダー６０から取り外し、リール７０で保管する。このリール７０のフィーダー６０からの取り外し作業時、上述のカバーテープ１２の剥離した部分の収納ポケット１１ａに入っている電子部品がこぼれ落ち易い。
【０００７】
そこで、従来は、剥離したカバーテープ１２を、別に用意したセロファンテープ（図示しない）で収納ポケット１１ａ上に貼り付けて仮止めすることにより、電子部品２０のこぼれ落ちを防止している。
【０００８】
このように、セロファンテープを使用する場合、自動実装機のフィーダー６０の狭い個所から、電子部品が落ちこぼれないように注意しながらキャリアテープ１０と剥離したカバーテープ１２とを引き出し、引き出したキャリアテープ１０の収納ポケット１１ａ上に、剥離したカバーテープ１２をセロファンテープで貼り付けて仮止めする。
【０００９】
また、カバーテープ１２をセロファンテープで仮止めしたキャリアテープ１０が巻かれたリール７０を再使用する時は、電子部品がこぼれ落ちないように注意しながらセロファンテープを剥がし、その上、再び電子部品がこぼれ落ちないように注意しながら自動実装機のフィーダー６０に装填することになる。
【００１０】
これらの一連の作業は、非常に神経を使うと共に手間が掛かる。それは、セロファンテープの貼り付け、セロファンテープの剥がしの両作業が、フィーダー６０の狭い個所で作業できにくいため、広い場所までキャリアテープ１０を引き出してセロファンテープを貼り付けたり、広い場所でセロファンテープを剥がしてからキャリアテープ１０を狭い場所へ送り込んだりする必要があるからである。また、リール７０の持ち運び時にも、キャリアテープ１０とカバーテープ１２が不安定な状態のため、電子部品がこぼれ落ちることもある。
【００１１】
さらに、セロファンテープの除去後も、セロファンテープの粘着性がキャリアテープ１０上に残り、悪影響を及ぼす可能性もある。
【００１２】
そこで本発明は、上述した従来の問題点に鑑み、部品のこぼれ落ちを有効に防ぐことができるキャリアテープ用カバーおよびその装着方法を提供することを目的としている。
【００１３】
【課題を解決するための手段】
上記課題を解決するためになされた請求項１記載の発明は、電子部品を収納するための複数の収納ポケットと、上記収納ポケットを覆うカバーテープと、少なくとも一方の側縁に形成された送り穴とを有するキャリアテープ用のカバーであって、所定の長さを有する平板状のカバー本体と、該カバー本体の長手方向の一方の側を折り曲げてガイド溝を形成する折り曲げ部と、該カバー本体の長手方向の他方の側を折り曲げて形成された爪部とを有し、上記ガイド溝と上記爪部で上記キャリアテープの両側縁にスライド可能に取り付けることにより、上記収納ポケットの少なくとも数個をカバーすることを特徴とするキャリアテープ用カバーに存する。
【００１４】
請求項１記載の発明によれば、キャリアテープ用カバーは、電子部品を収納するための複数の収納ポケットと、収納ポケットを覆うカバーテープと、少なくとも一方の側縁に形成された送り穴とを有するキャリアテープ用のカバーであって、所定の長さを有する平板状のカバー本体と、該カバー本体の長手方向の一方の側を折り曲げてガイド溝を形成する折り曲げ部と、該カバー本体の長手方向の他方の側を折り曲げて形成された爪部とを有し、ガイド溝と爪部でキャリアテープの両側縁にスライド可能に取り付けることにより、収納ポケットの少なくとも数個をカバーするので、ポケット内の部品のこぼれ落ちを有効に防ぐことができる。また、キャリアテープとカバーテープを同時に簡単にスライドできる。また、キャリアテープへの取り付け、取り外しを簡単に行うことができる。さらに、キャリアテープに装着したまま、リールに巻き付けることができる。
【００１５】
上記課題を解決するためになされた請求項２記載の発明は、前記キャリアテープ用カバーは柔軟性の材料からなり、前記キャリアテープの先端部分への装着後、前記キャリアテープと共にリールに巻かれることを特徴とする請求項１記載のキャリアテープ用カバーに存する。
【００１６】
請求項２記載の発明によれば、キャリアテープ用カバーは柔軟性の材料からなり、キャリアテープの先端部分への装着後、キャリアテープと共にリールに巻かれるので、部品がこぼれ落ちないようにキャリアテープをリールで保管することができる。
【００１７】
上記課題を解決するためになされた請求項３記載の発明は、電子部品を収納するための複数の収納ポケットと、上記収納ポケットを覆うカバーテープと、少なくとも一方の側縁に形成された送り穴とを有するキャリアテープに、請求項１記載のキャリアテープ用カバーを装着する装着方法であって、上記キャリアテープの一方の側縁に前記キャリアテープ用カバーの前記ガイド溝を挿入し、次いで、上記キャリアテープの他方の側縁に前記キャリアテープ用カバーの前記爪部を係合させることにより、上記キャリアテープに前記キャリアテープ用カバーを装着することを特徴とするキャリアテープ用カバーの装着方法に存する。
【００１８】
請求項３記載の発明によれば、キャリアテープ用カバーの装着方法は、電子部品を収納するための複数の収納ポケットと、収納ポケットを覆うカバーテープと、少なくとも一方の側縁に形成された送り穴とを有するキャリアテープに、請求項１記載のキャリアテープ用カバーを装着する装着方法であって、キャリアテープの一方の側縁にキャリアテープ用カバーのガイド溝を挿入し、次いで、キャリアテープの他方の側縁にキャリアテープ用カバーの爪部を係合させることにより、キャリアテープにキャリアテープ用カバーを装着するので、収納ポケット内の部品のこぼれ落ちを有効に防ぐことができる。また、装着後も、キャリアテープとカバーテープを同時に簡単にスライドできる。また、キャリアテープの周りが広い場所でキャリアテープへの装着ができる。また、キャリアテープへの装着後の寸法がキャリアテープとほぼ同じため、狭い場所への送り込みを簡単に行うことができる。また、キャリアテープへの取り付け、取り外しを簡単に行うことができる。
【００１９】
上記課題を解決するためになされた請求項４記載の発明は、電子部品を収納するための複数の収納ポケットと、上記収納ポケットを覆うカバーテープと、少なくとも一方の側縁に形成された送り穴とを有するキャリアテープに、請求項１記載のキャリアテープ用カバーを装着する装着方法であって、前記キャリアテープはリールに巻かれ、該リールは自動部品供給手段のフィーダーに組み込まれており、前記キャリアテープの先端の前記送り穴は、上記自動部品供給手段のスプロケットに係合しており、上記フィーダーにおいて露出している上記キャリアテープの一方の側縁に前記キャリアテープ用カバーの前記ガイド溝を挿入し、次いで、上記キャリアテープの他方の側縁に前記キャリアテープ用カバーの前記爪部を係合させることにより、上記キャリアテープに前記キャリアテープ用カバーを装着することを特徴とするキャリアテープ用カバーの装着方法に存する。
【００２０】
請求項４記載の発明によれば、キャリアテープ用カバーの装着方法は、電子部品を収納するための複数の収納ポケットと、収納ポケットを覆うカバーテープと、少なくとも一方の側縁に形成された送り穴とを有するキャリアテープに、請求項１記載のキャリアテープ用カバーを装着する装着方法であって、キャリアテープはリールに巻かれ、該リールは自動部品供給手段のフィーダーに組み込まれており、キャリアテープの先端の送り穴は、自動部品供給手段のスプロケットに係合しており、フィーダーにおいて露出しているキャリアテープの一方の側縁にキャリアテープ用カバーのガイド溝を挿入し、次いで、キャリアテープの他方の側縁にキャリアテープ用カバーの爪部を係合させることにより、キャリアテープにキャリアテープ用カバーを装着するので、収納ポケット内の部品のこぼれ落ちを有効に防ぐことができる。また、装着後も、キャリアテープとカバーテープを同時に簡単にスライドできる。また、キャリアテープへの装着後の寸法がキャリアテープとほぼ同じため、フィーダーの狭い場所への送り込みを簡単に行うことができる。また、キャリアテープへの取り付け、取り外しを簡単に行うことができる。
【００２１】
上記課題を解決するためになされた請求項５記載の発明は、電子部品を収納するための複数の収納ポケットと、上記収納ポケットを覆うカバーテープと、少なくとも一方の側縁に形成された送り穴とを有するキャリアテープに、所定の長さを有する平板状のカバー本体と、該カバー本体の長手方向の両側を折り曲げて２つのガイド溝を形成する２つの折り曲げ部とを有するキャリアテープ用カバーを装着する装着方法であって、上記カバーテープが剥離している上記キャリアテープの先端側から、上記剥離している上記カバーテープと上記キャリアテープの両側縁とを上記２つのガイド溝に挿入し、上記カバーテープが剥離しかつ上記電子部品が収納されている上記収納ポケット部分を上記カバーテープごと覆うように装着することを特徴とするキャリアテープ用カバーの装着方法に存する。
【００２２】
請求項５記載の発明によれば、キャリアテープ用カバーの装着方法は、電子部品を収納するための複数の収納ポケットと、上記収納ポケットを覆うカバーテープと、少なくとも一方の側縁に形成された送り穴とを有するキャリアテープに、所定の長さを有する平板状のカバー本体と、該カバー本体の長手方向の両側を折り曲げて２つのガイド溝を形成する２つの折り曲げ部とを有する有キャリアテープ用カバーを装着する装着方法であって、カバーテープが剥離しているキャリアテープの先端側から、剥離しているカバーテープとキャリアテープの両側縁とを２つのガイド溝に挿入し、カバーテープが剥離しかつ上記電子部品が収納されている収納ポケット部分をカバーテープごと覆うように装着するので、収納ポケット内の部品のこぼれ落ちを有効に防ぐことができる。また、装着後も、キャリアテープとカバーテープを同時に簡単にスライドできる。また、キャリアテープの周りが広い場所でキャリアテープへの装着ができる。また、キャリアテープへの装着後の寸法がキャリアテープとほぼ同じため、狭い場所への送り込みを簡単に行うことができる。また、キャリアテープへの取り付け、取り外しを簡単に行うことができる。
【００２３】
【発明の実施の形態】
以下、本発明の実施の形態を図面に基づいて説明する。図面において、図１は、本発明によるキャリアテープ用カバーの実施の形態を示す図であり、（Ａ）は斜視図、（Ｂ）は斜視図におけるＷ−Ｗ線拡大断面図である。図１において、本発明のキャリアテープ用カバー１は、たとえば柔軟性のある合成樹脂の一体成型品であり、所定の長さ（たとえば、キャリアテープの収納ポケット１１ａの２〜４個分の長さ）を有する平板状のカバー本体２と、カバー本体２の長手方向の一方の側の両端を裏側へ折り曲げてガイド溝４を形成する折り曲げ部３と、カバー本体２の長手方向の他方の側を裏側へ折り曲げて形成された弾性のある爪部５とを有する。
【００２４】
次に、図２は、図１のキャリアテープ用カバー１が適用されるキャリアテープの構成例を示す図であり、（Ａ）は斜視図、（Ｂ）は斜視図におけるＸ−Ｘ線拡大断面図である。図２において、キャリアテープ１０は、所定間隔をおいて形成された複数の収納ポケット１１ａおよび両端に所定のピッチで形成された多数の送り穴１１ｂを備えたエンボステープ１１と、カバーテープ１２とからなる。収納ポケット１１ａには、予めチップ抵抗等の電子部品２０が収納され、カバーテープ１２は、収納ポケット１１ａを覆うようにエンボステープ１１上に接着されている。電子部品２０は、カバーテープ１２が剥がされて、収納ポケット１１ａ内から取り出される。
【００２５】
次に、図１のキャリアテープ用カバーの装着方法について図３および図４を参照して説明する。図３は、本発明のキャリアテープ用カバーをキャリアテープに装着した状態を示す図であり、（Ａ）は斜視図、（Ｂ）は斜視図におけるＹ−Ｙ線拡大断面図である。
【００２６】
上述の従来例で説明したように、キャリアテープ１０が巻かれたリールを自動部品供給手段としての自動実装機に組み込んで使用する際に、途中で生産を中止した場合は、キャリアテープ１０の先端側において、電子部品２０の入った１〜数個の収納ポケット１１ａは、カバーテープ１２が剥離された状態となる（図２参照）。
【００２７】
そこで、図３に示すように、キャリアテープ用カバー１のカバー本体２がエンボステープ１１およびカバーテープ１２を覆うように、エンボステープ１１の一方の側縁をキャリアテープ用カバー１のガイド溝４に挿入し、エンボステープの他方の側縁をキャリアテープ用カバー１の爪部５に係合させることにより、キャリアテープ用カバー１がキャリアテープ１０に装着される。キャリアテープ用カバー１の装着後、剥離された状態のカバーテープ１２は、カバー本体２によって電子部品２０入り収納ポケット１１ａ上に押しつけられた状態となり、電子部品２０のこぼれ落ちを防ぐことができる。
【００２８】
装着方法をさらに詳細に説明すると、まず、エンボステープ１１およびカバーテープ１２をキャリアテープ用カバー１のカバー本体２で覆うように、エンボステープ１１の一方の側縁をキャリアテープ用カバー１のガイド溝４に挿入する。挿入場所は、カバーテープ１２が剥離された状態の収納ポケット１１ａがあるエンボステープ１１の一方の側縁としても良いし、または、カバーテープ１２が剥離されていない部分のエンボステープ１１の一方の側縁としても良い。
【００２９】
次いで、エンボステープ１１の他方の側縁にキャリアテープ用カバー１の爪部５を押圧して、爪部５をその弾性により他方の側縁にパチッと係合させる。
【００３０】
このようにしてキャリアテープ１０へのキャリアテープ用カバー１の装着が行われると、キャリアテープ用カバー１はエンボステープ１１の両側縁をスライドすることができるので、装着位置の調整が可能である。たとえば、装着場所がカバーテープ１２が剥離されていない部分のエンボステープ１１の側縁であった場合は、キャリアテープ用カバー１をスライドさせることにより、カバーテープ１２が剥離された状態の収納ポケット１１ａ上に容易に移動させることができる。
【００３１】
次に、図４は、本発明のキャリアテープ用カバーを自動実装機に適用した場合の具体例を示す概略図である。なお、図７の自動実装機と同一の構成要素は同一符号を付して説明する。
【００３２】
図４の自動実装機では、まず、収納ポケット１１ａに電子部品が収納されているキャリアテープ１０が巻かれたリール７０をフィーダー６０に取り付け、リールから引き出されたキャリアテープ１０をテープ押さえ金具６６の下を通過させ、その先端をスプロケット６３まで導き、キャリアテープ１０の送り穴１１ｂをスプロケット６３に係合させる。次いで、キャリアテープ１０の先端からカバーテープ１２を剥がし、テープ押さえ金具６６で折り返してカバーテープ引き出し口６７から引き出し、カバーテープ１２の先端をカバーテープ用リール６５に取り付ける。
【００３３】
次いで、製品の製造開始時、スプロケット６３およびカバーテープ用リール６５を間欠回転駆動する駆動源（図示しない）を始動させ、テープ押さえ金具６６の端部で剥がされるカバーテープ１２をカバーテープ用リール６５で巻き取りながら、送り穴１１ｂに係合するスプロケット６３の間欠回転でキャリアテープ１０を間欠送りし、テープカバー１から出て露出した収納ポケット１１ａに収納されている電子部品２０を、吸着ノズル（図示しない）等で部品取り出し口６８を介して取り出し、製品の所定個所へ実装する。
【００３４】
次に、製品の製造終了時、リール７０に巻かれているキャリアテープ１０の全てを使い切っていなかった場合は、たとえばリール７０とテープ押さえ金具６６の間で露出しているキャリアテープ１０に、上述した装着方法により、すなわち、エンボステープ１１の一方の側縁のガイド溝４への挿入および他方の側縁の爪部５への係合を行うことにより、キャリアテープ用カバー１を装着する。
【００３５】
次いで、装着後のキャリアテープ用カバー１の位置をほぼ図示の位置に保ちながら、キャリアテープ１０をスライドさせてリール７０の方へ引き戻し、キャリアテープ１０の先端側においてカバーテープ１２が剥離された状態の電子部品２０の入った１〜数個の収納ポケット１１ａの位置を、キャリアテープ用カバー１によってカバーテープ１２ごと覆われる状態となるように調整し、調整された状態を保ったまま、キャリアテープ用カバー１が装着されたキャリアテープ１０をリール７０に巻き取り完了させる。
【００３６】
その後、キャリアテープ用カバー１が装着されたキャリアテープ１０を巻き取ったリール７０を再使用する場合は、自動実装機のフィーダー６０への組み込み時、キャリアテープ用カバー１をリール７０とテープ押さえ金具６６の間で装着したまま、キャリアテープ１０をスプロケット６３まで導き、カバーテープ１２をカバーテープ用リール６５に取り付けて、製品の製造を開始することができる。なお、キャリアテープ用カバー１は、エンボステープ１１の側縁と爪部５との係合をはずすことにより必要に応じて容易に取り外すことができる。
【００３７】
このように、本発明のキャリアテープ用カバーによれば、カバー本体２の長さを短くして（たとえば、収納ポケット１１ａの２〜４個分の長さにして）、キャリアテープ１０を構成するエンボステープ１１とカバーテープ１２を一緒に中に入れてスライドさせることにより、必要に応じてキャリアテープの途中から取り付けたり、取り外したりすることができるので、次のような利点がある。
（１）カバーテープ１２が剥がれた状態の電子部品２０が収納されている収納ポケット１１ａをカバーすることができ、収納ポケット１１ａ内の電子部品のこぼれ落ちを有効に防ぐことができる。
（２）キャリアテープ１０の周りが広い場所でキャリアテープ１０への装着ができる。
（３）装着後の寸法がキャリアテープ１０とほぼ同じため、装着後のキャリアテープの狭い場所への送り込みを簡単に行うことができる。
（４）キャリアテープへの取り付け、取り外しを簡単に行うことができる。
（５）キャリアテープに装着したまま、リールに巻き付けることができる。
【００３８】
以上の通り、本発明の実施の形態について説明したが、本発明はこれに限らず、種々の変形、応用が可能である。
【００３９】
たとえば、上述の実施の形態では、爪部５は、カバー本体２の両端に形成されているが、これに限らず、両端および中間に形成したり、両端間に任意の間隔で形成しても良い。
【００４０】
また、キャリアテープ用カバー１の形状および寸法は、装着されるキャリアテープの形状および寸法に合わせて変更可能である。
【００４１】
一例として、上述の実施の形態では、キャリアテープ用カバー１はガイド溝４と爪部５とを有する形状になっているが、他の形状とすることもできる。他の形状例としては、たとえば図５に示すように、カバー本体２の長手方向の一方の側に形成された折り曲げ部３およびガイド部４を、他方の側にも爪部５に代えて設けても良い。
【００４２】
図５に示す構成を有するキャリアテープ用カバー１をキャリアテープ１０に装着するには、たとえば図６に示すように、リール７０に巻かれているキャリアテープ１０の先端側のエンボステープ１１と剥離された状態のカバーテープ１２とをキャリアテープ用カバー１の一方の端部から挿入してエンボステープの両側縁を２つのガイド溝４でガイドしながらスライドすれば、カバーテープ１２が剥離された状態の電子部品２０の入った１〜数個の収納ポケット１１ａの位置を、キャリアテープ用カバー１によってカバーテープ１２ごと覆われる状態となるようにして、収納ポケット１１ａ内の電子部品２０がこぼれ落ちないようにすることができる。
【００４３】
また、キャリアテープ用カバー１がキャリアテープ１０に装着されたまま巻かれたリール７０を、図４に示す自動実装機のフィーダー６０に取り付けることができる。この場合は、製品の製造中、キャリアテープ用カバー１は、リール７０とテープ押さえ金具６６の間に留まっており、製造終了時は、上述と同様の仕方で、カバーテープ１２が剥がれた状態の収納ポケット１１ａをふさぐ位置にスライドさせた状態でリール７０に巻き付けることができる。
【００４４】
さらに、リール７０に巻き付けられているキャリアテープ１０が使い切られた場合は、キャリアテープ用カバー１をキャリアテープ１０から取り外し、別のリール７０に巻かれている電子部品２０入りのキャリアテープ１０に装着することができる。
【００４５】
このように、図５に示す構成のキャリアテープ用カバー１は、リール７０に巻かれているキャリアテープ１０に予め装着しておいて装着済みのリール７０を自動実装機のフィーダー６０に組み込んだり、未装着のリール７０を自動実装機のフィーダーに組み込む際に装着したりして、必要に応じて装着または取り外しをおこなうことができる。
【００４６】
【発明の効果】
請求項１記載の発明によれば、収納ポケット内の部品のこぼれ落ちを有効に防ぐことができる。また、キャリアテープとカバーテープを同時に簡単にスライドできる。また、キャリアテープへの取り付け、取り外しを簡単に行うことができる。さらに、キャリアテープに装着したまま、リールに巻き付けることができる。
【００４７】
請求項２記載の発明によれば、部品がこぼれ落ちないようにキャリアテープをリールで保管することができる。
【００４８】
請求項３記載の発明によれば、収納ポケット内の部品のこぼれ落ちを有効に防ぐことができる。また、装着後も、キャリアテープとカバーテープを同時に簡単にスライドできる。また、キャリアテープの周りが広い場所でキャリアテープへの装着ができる。また、キャリアテープへの装着後の寸法がキャリアテープとほぼ同じため、狭い場所への送り込みを簡単に行うことができる。また、キャリアテープへの取り付け、取り外しを簡単に行うことができる。
【００４９】
請求項４記載の発明によれば、収納ポケット内の部品のこぼれ落ちを有効に防ぐことができる。また、装着後も、キャリアテープとカバーテープを同時に簡単にスライドできる。また、キャリアテープへの装着後の寸法がキャリアテープとほぼ同じため、フィーダーの狭い場所への送り込みを簡単に行うことができる。また、キャリアテープへの取り付け、取り外しを簡単に行うことができる。
【００５０】
請求項５記載の発明によれば、収納ポケット内の部品のこぼれ落ちを有効に防ぐことができる。また、装着後も、キャリアテープとカバーテープを同時に簡単にスライドできる。また、キャリアテープの周りが広い場所でキャリアテープへの装着ができる。また、キャリアテープへの装着後の寸法がキャリアテープとほぼ同じため、狭い場所への送り込みを簡単に行うことができる。また、キャリアテープへの取り付け、取り外しを簡単に行うことができる。
【図面の簡単な説明】
【図１】本発明によるキャリアテープ用カバーの実施の形態を示す図であり、（Ａ）は斜視図、（Ｂ）は斜視図におけるＷ−Ｗ線拡大断面図である。
【図２】図１のキャリアテープ用カバーが適用されるキャリアテープの構成例を示す図であり、（Ａ）は斜視図、（Ｂ）は斜視図におけるＸ−Ｘ線拡大断面図である。
【図３】本発明のキャリアテープ用カバーをキャリアテープに装着した状態を示す図であり、（Ａ）は斜視図、（Ｂ）は斜視図におけるＹ−Ｙ線拡大断面図である。
【図４】本発明のキャリアテープ用カバーを自動実装機に適用した場合の具体例を示す概略図である。
【図５】本発明のキャリアテープ用カバーの他の構成例を示す図であり、（Ａ）は斜視図、（Ｂ）は斜視図におけるＺ−Ｚ線拡大断面図である。
【図６】図５のキャリアテープ用カバーをキャリアテープに装着する方法を説明する図である。
【図７】従来の自動実装機のフィーダーの構成例を示す図である。
【符号の説明】
１      キャリアテープ用カバー
２      カバー本体
３      折り曲げ部
４      ガイド溝
５      爪部
１０    キャリアテープ
１１    エンボステープ
１１ａ  収納ポケット
１１ｂ  送り穴
１２    カバーテープ
２０    電子部品
６０    フィーダー（自動部品供給手段の一部）
７０    リール
【図１】
2004323028.tif 000003
【図２】
2004323028.tif 000004
【図３】
2004323028.tif 000005
【図４】
2004323028.tif 000006
【図５】
2004323028.tif 000007
【図６】
2004323028.tif 000008
【図７】
2004323028.tif 000009